(57)【要約】【課題】一定の高さに照明器具を取り付けることが可能な照明器具取り付け構造を提供する。【解決手段】略Ｌ字形に形成されたアームの垂直杆部の一端側に取り付けられ複数のスリットが対向して形成されたコの字形状の取り付け金具と、該取り付け金具のスリットに対向して少なくとも２対の固定用ナットを固着すると共に、取り付けバンドを挿通するスリットが形成された複数の補助金具と、前記取り付け金具のスリットを挿通して前記ナットと螺合する複数のボルトと、から構成され、前記取り付け金具に前記複数の補助金具をスリットを介してボルトを挿通して前記ナットに螺着して電柱表面に当接し、前記取り付けバンドを前記補助金具のスリットに挿通して締結する【選択図】        図１
0003166558.tif 000002
【実用新案登録請求の範囲】
【請求項１】
コンクリート柱等の電柱に取り付けバンドによって締結する照明器具の取り付け構造であって、略Ｌ字形に形成されたアームの垂直杆部の一端側に取り付けられ複数のスリットが対向して形成されたコの字形状の取り付け金具と、該取り付け金具のスリットに対向して少なくとも２対の固定用ナットを固着すると共に、取り付けバンドを挿通するスリットが形成された複数の補助金具と、前記取り付け金具のスリットを挿通して前記ナットと螺合する複数のボルトと、から構成され、前記取り付け金具に前記複数の補助金具をスリットを介してボルトを挿通して前記ナットに螺着して電柱表面に当接し、前記取り付けバンドを前記補助金具のスリットに挿通して締結することを特徴とする照明器具取り付け構造。
【請求項２】
前記取り付け金具に形成されたスリットは、前記補助金具をスライドして固定可能な位置及び長さに形成されたことを特徴とする請求項１に記載の照明器具取り付け構造。
【考案の詳細な説明】
【技術分野】
【０００１】
本考案は、コンクリート柱等の電柱に照明器具を取り付ける照明器具取り付け構造に関するものである。
【背景技術】
【０００２】
従来より、電柱を使用して照明器具や標識を取り付ける装置が広く採用されている。とくに街灯や防犯灯などを設置する際には、既存の電柱を利用して必要とする数量の照明器具を取り付ける技術が広く採用されてきた。
【０００３】
例えば、鋼管柱の外周面に配設したブラケットの外側面に、照明、標識装置の支持アームに設けた角形断面の取り付け部を当接するとともに、同取り付け部に押え金具を設けた角形溝部を嵌合し、同押え金具と前記ブラケットとを緊結した共架式照明、標識柱がある（特許文献１参照。）。
【０００４】
また、機器を組付ける水平杆部と外水平杆部に連設した垂直杆部とで成る機器装柱用Ｌ型アームの垂直杆部に上下一対の取り付け金具を溶接し、該取り付け金具をバンド片によって電柱に締付けた、機器装柱用Ｌ形アームの取り付け装置において、上側取り付け金具上に前記垂直杆部に溶接した補助金具を設け、該補助金具を前記電柱に緩く巻き付けた補助バンド片に組付けた構成もある（特許文献２参照。）。
【先行技術文献】
【特許文献】
【０００５】
【特許文献１】実開昭６１−４８５０６号公報
【特許文献２】特開２００５−２３５２４号公報
【考案の概要】
【考案が解決しようとする課題】
【０００６】
しかしながら、上記特許文献１及び２に記載の技術は、照明器具などの機器を組付けたアームを電柱に取り付ける際に、押え金具やバンド片によって締結させるものであり、電柱ごとに取り付け位置が異なる場合には作業者が取り付け金具の位置を変更して組付け直す必要があり、作業者に多大の負担となるものであった。とくに街灯などの取り付け位置は地上からの高さや地表面での照度値が決められており、取り付け高さを一定にする必要があるため作業に長時間を必要とした。
【０００７】
上記の問題点に鑑み本考案者らは、取り付け金具と補助金具を使用することで、簡単に電柱に取り付けることが可能であり、一定の高さに照明器具を設置することができる照明器具取り付け構造を提供するに至った。
【課題を解決するための手段】
【０００８】
本考案の照明器具取り付け構造は、コンクリート柱等の電柱に取り付けバンドによって締結する照明器具の取り付け構造であって、略Ｌ字形に形成されたアームの垂直杆部の一端側に取り付けられ複数のスリットが対向して形成されたコの字形状の取り付け金具と、該取り付け金具のスリットに対向して少なくとも２対の固定用ナットを固着すると共に、取り付けバンドを挿通するスリットが形成された複数の補助金具と、前記取り付け金具のスリットを挿通して前記ナットと螺合する複数のボルトと、から構成され、前記取り付け金具に前記複数の補助金具をスリットを介してボルトを挿通して前記ナットに螺着して電柱表面に当接し、前記取り付けバンドを前記補助金具のスリットに挿通して締結することを第一の特徴とする。
【０００９】
また、前記取り付け金具に形成されたスリットは、前記補助金具をスライドして固定可能な位置及び長さに形成されたことを第二の特徴とする。
【考案の効果】
【００１０】
本考案に係る照明器具取り付け構造によれば、取り付け金具に複数の補助金具をスリットを介してボルトを挿通して、取り付け金具に固着したナットに螺着して電柱表面に当接し取り付けバンドを前記補助金具のスリットに挿通して締結することができるという効果を有する。
【００１１】
また、取り付け金具に形成されたスリットは、前記補助金具をスライドして固定可能な位置及び長さに形成されており、電柱の取り付け位置の調節が容易であるという効果を有する。
【図面の簡単な説明】
【００１２】
【図１】本考案に係る照明器具取り付け構造の一実施例を示す説明図である。
【図２】図１の取り付け部を示す説明図である。
【図３】本考案に係る照明器具取り付け構造を使用した例を示す斜視図である。
【考案を実施するための形態】
【００１３】
以下、本考案を実施例を示す図面を参照しながら説明するが、本考案が本実施例に限定されないことは言うまでもない。図１は、本考案の照明器具取り付け構造の一実施例を示す説明図であり、図１（ａ）は平面説明図、図１（ｂ）は側面説明図、図２は図１の取り付け部を示す説明図であり、図２（ａ）は取り付け金具及び補助金具の側面説明図、図２（ｂ）は図２（ａ）の平面説明図、図３は本考案に係る照明器具取り付け構造を使用した例を示す斜視図である。
【実施例】
【００１４】
図１に示すように、略Ｌ字形に形成されたポール１は、円筒形状の水平杆部１ａと、四角柱状の垂直杆部１ｂとで形成されており、その接続基端部は溶接によって固定されると共に一対の金属製リブ２によって補強されている。
【００１５】
このＬ字形ポール１の水平杆部１ａの先端側には街路灯などの照明器具が取り付けられ、また垂直杆部１ｂは後述するコンクリート柱に取り付けバンドによって取り付けられ、水平杆部１ａと照明器具を支える。
【００１６】
垂直杆部１ｂの一端側には、平面視コ字形状の取り付け金具３が溶接によって取り付けられており、この取り付け金具３の側面側には３対のスリット４が形成されている。そしてこの取り付け金具３の内側面のスリット４に対向する位置に平面視コ字形状の補助金具５がそれぞれ配置され、ボルト６によって固定される。尚、Ｌ字形ポール１の水平杆部１ａ及び垂直杆部１ｂの素材としてはステンレス鋼管が使用される。
【００１７】
図２は取り付け部を示しており、ステンレス製板材をコ字形状に成形し、対向する面にそれぞれ３箇所のスリット４を施した取り付け金具３と、この取り付け金具３に内接して長手方向にスライド可能とされる３個の補助金具５と、スリット４を挿通して取り付け金具３と補助金具５を固定するボルト６とで構成されており、後述する取り付けべルト（図示せず）によって電柱に締結される。
【００１８】
補助金具５は取り付け金具３と同様にステンレス製板材をコ字形状に成形し、対向する面に取り付けバンドを挿通可能な一対のスリット７が形成され、また上記ボルト６と螺合するナット８がスリット７と平行にそれぞれ２対固着されている。そして、ナット８の固着間隔は上記スリット４の長手方向長さより狭く、補助金具５を取り付け金具３に取り付ける際に適宜な位置にスライドさせて固定することが可能となる。
【００１９】
この構成からなる本考案の照明器具取り付け構造によれば、Ｌ字形ポールの水平杆部１ａの先端側に街路灯などの照明器具を取り付けて垂直杆部１ｂ側を電柱に取り付ける際に、予め溶接によって取り付けられた取り付け金具３と、この取り付け金具３にスライドして取り付け可能な補助金具５を使用することによって、照明器具の設置高さを現場において容易に調節することができる。
【００２０】
図３は、本考案の照明器具取り付け構造を使用して照明器具を電柱に取り付けた状態を示している。図に示すようにＬ字形ポール１の水平杆部１ａの先端側には照明器具９が取り付けられており、垂直杆部１ｂには取り付け金具３が溶接によって取り付けられ、ボルト６によって補助金具５が固定されると共に、取り付けバンド１０を補助金具５のスリット７を挿通してコンクリート製電柱１１に捲回して締結されている。尚、図において補助金具５は３個使用し、取り付けバンド１０は３個使用しているが、それぞれ２個であってもかまわない。また、取り付けべルト１０は市販の金属バンドが好適に使用される。
【００２１】
以上、本考案の照明器具取り付け構造によれば、  本考案に係る照明器具取り付け構造によれば、取り付け金具に複数の補助金具をスリットを介してボルトを挿通して、取り付け金具に固着したナットに螺着して電柱表面に当接し取り付けバンドを前記補助金具のスリットに挿通して締結することができる、また取り付け金具に形成されたスリットは、前記補助金具をスライドして固定可能な位置及び長さに形成されており、電柱の取り付け位置の調節が容易である。
【符号の説明】
【００２２】
１          Ｌ字形ポール
１ａ        水平杆部
１ｂ        垂直杆部
２          金属製リブ
３          取り付け金具
４、７      スリット
５          補助金具
６          ボルト
８          ナット
９          照明器具
１０          取り付けバンド
１１          電柱
【図１】
0003166558.tif 000003
【図２】
0003166558.tif 000004
【図３】
0003166558.tif 000005